(57)【要約】【課題】付加的な電力源なしに、オーディオ・コンポーネント間の無線信号伝送を可能にする。【解決手段】オーディオ信号ソース・ユニット（３１）からオーディオ受信ユニット（３４）へ無線オーディオ伝送を提供するためのコンポーネントは、外部電力源を必要とすることなく、オーディオ信号自体によって電力供給される。オーディオ信号は、無線信号を生成するコンポーネント（３１２，３１３）に電力を供給するため、整流器／フィルタ・ユニット（３１１）によって整流および復調される。受信した無線信号を検出および復調するコンポーネント（３４１，３４２）に電力を供給するため、マイクロフォン・ピックアップ電圧がチャージポンプ（３４３）に供給される。【選択図】図４
2005117664.tif 000002
【特許請求の範囲】
【請求項１】
オーディオ無線信号生成ユニットであって、このユニットは、
オーディオ信号を生成するオーディオ信号ソースと、
オーディオ信号ソースに着脱可能に接続される信号生成ユニットとを含み、信号生成ユニットは、
オーディオ信号に応答し、オーディオ信号を用いて無線信号を変調させるための変調器コンポーネントと、
オーディオ信号に応答し、電圧を生成するためのパワーサプライとを含み、その電圧が変調器コンポーネントに電力供給する
オーディオ無線信号生成ユニット。
【請求項２】
オーディオ信号受信ユニットであって、このユニットは、
マイクロフォン・ピックアップ電圧を生成するオーディオ信号受信コンポーネントと、
無線受信ユニットとを含み、無線受信ユニットが無線信号を検出および復調し、無線受信ユニットがオーディオ信号をオーディオ信号受信コンポーネントへ供給し、無線受信ユニットがマイクロフォン・ピックアップ電圧によって電力供給される、
オーディオ信号受信ユニット。
【請求項３】
オーディオ信号で変調される無線信号を生成するデバイスに電力供給する方法であって、この方法は、そのデバイスに電力を供給するためにオーディオ信号の一部を用いることを含む方法。
【請求項４】
オーディオ・システムであって、このシステムは、
オーディオ信号を生成するオーディオ信号ソースと、
オーディオ信号を受信する無線伝送ユニットであって、無線伝送ユニットが、そのオーディオ信号で搬送波信号を変調し、ここで、無線伝送ユニットは、そのオーディオ信号によって電力供給される、無線伝送ユニットと、
搬送波信号からオーディオ信号を分離させるオーディオ信号レシーバ
とを含むオーディオ・システム。
【発明の詳細な説明】
【技術分野】
【０００１】
本発明はオーディオ・システムに関し、さらに特定して言えば、オーディオ・システムのコンポーネント間のオーディオ信号の無線伝送に関連する。
【背景技術】
【０００２】
図１を参照すると、先行技術に従ったオーディオ・システム１０が示されている。オーディオ・システム１０は、オーディオ信号ソース１１およびオーディオ信号レシーバ１２を含む。オーディオ・システム・コンソール１１とスピーカ１２とは、ケーブル／リード線１５によって接続される。ケーブル／リード線１５は、典型的にオーディオ信号ソース１１の端子とオーディオ信号レシーバ１２の端子を連結させる接続部１７を有する。ケーブル／リード線１５は、それを介してオーディオ信号が伝送される、パイプ役をつとめる。
見た目から、或いは間に入る障害物のためなど、さまざまな理由から、図１に示したケーブル／リード線をなくすことが望ましいこともあり得る。図２を参照すると、オーディオ・システム２０は、伝送アンテナ２５に電力供給する内部電磁気生成ユニットを備えたオーディオ・ソース２１と、アンテナ２６で受信される信号を検出／復調するための内部ユニットを有するオーディオ信号レシーバ２２とを有し得る。このようにして、オーディオ信号は、オーディオ信号ソース２１からオーディオ信号レシーバ２２へ、ケーブル／リード線によって物理的に接続されることなく伝送され得る。
【０００３】
オーディオ・ソース・ユニット内の内部信号生成装置と、内部検出／復調装置は、コストを増加させ得るし、すべての消費者にとって必要とされるものではない可能性もあるため、オーディオ信号ソースとオーディオ信号レシーバとの間の無線伝送は、オプションとすることが望ましい。図３には、オプションの無線オーディオ伝送機能を提供するための手法が示されている。信号生成ユニット３１は、オーディオ信号ソース１１の出力端子に接続される。このユニット３１は、オーディオ出力信号を受取り、伝送する電磁スペクトル信号を変調し、変調された信号を、アンテナ３２を用いて伝送する。アンテナ３３は、伝送された信号を受信し、その信号を検出器／復調器３４に供給する。オーディオ信号は、次に、オーディオ信号レシーバ１２の入力端子に供給される。ユニット３１／３２および３３／３４は着脱可能であり、ケーブル／リード線１５と取り替えるために用いることができる。信号生成ユニット３１および検出器／復調器ユニット３４はいずれも、アクティブ・ユニットであり、電源リード線３５および３６を介して供給される電力を必要とすることに注意されたい。（先行技術のいくつかのデバイスでは、アンテナ３２および３３は用いられず、オーディオ信号は、電源リード線３５、電力配分システム、および電源ケーブル３６を介して伝送される電磁気信号を変調するために用いられる。）
ポータブル・オーディオ・システムの場合など、電力分配システムから電力を受け取ることが不便な場合もある。このような場合、電源コードをなくし、代替の電力源から、信号生成ユニット３１におよび／又は検出器／復調器ユニット３４に電力を供給することが利点となるであろう。
【０００４】
従って、オーディオ信号生成ユニットからの信号が、ケーブル／リード線なしで、オーディオ信号レシーバにつなげられるという特徴を有する装置および関連する方法が必要とされてきている。この装置および関連する方法の別の特徴は、オーディオ信号ソースに接続された信号生成ユニットから、オーディオ信号レシーバの検出器／復調器ユニットへ、変調された電磁気信号を伝送することである。この装置および関連する方法のさらに特有の特徴は、信号生成ユニットに接続されているオーディオ信号ソースによって、信号生成ユニットに電力供給することである。この装置および関連する方法のさらに別の特有の特徴は、検出器／変調器ユニットに接続されているオーディオ・レシーバによって、検出器／変調器ユニットに電力供給することである。
前述の特徴およびその他の特徴は、本発明に従って、オーディオ信号それ自体で、オーディオ信号ソース・ユニット内の無線伝送エレメントに電力供給することによって達成される。オーディオ信号は、搬送波信号の変調のための電力源として用いられるだけでなく、変調された信号としても用いられる。同様に、オーディオ信号レシーバでは、無線信号を検出および復調するコンポーネントは、マイクロフォン・ピックアップ電圧によって電力供給され得る。その電圧レベルが、これらのコンポーネントに電力供給するのに十分でないとき、電圧を増加させるためにチャージポンプなどのデバイスが用いられ得る。
本発明のその他の特徴および利点は、以下の説明、および添付の図面および特許請求の範囲を読むことによって、よりよく理解されるであろう。
【実施例】
【０００５】
１．図面の詳細な説明
図１、図２、および図３は、先行技術に関連して説明した。
図４を参照すると、信号生成ユニット３１のブロック図が示されている。オーディオ信号出力端子３５０に供給されたオーディオ信号は、整流器／フィルタ・ユニット３１１に接続される。整流器／フィルタ・ユニット３１１は、ＤＣパワーサプライとして機能する。整流器／フィルタ・ユニット３１１の出力電圧は、搬送波ソース３１２へおよび変調器ユニット３１３へ電力源を供給するために用いられる。搬送波ソース３１２は、（典型的にＲＦである）搬送波周波数信号を提供するオシレータであることが典型的である。搬送波ソース３１２からの搬送波周波数信号は、変調器ユニット３１３へ供給される。この搬送波周波数は、供給されたオーディオ周波数信号で変調される。その結果の変調された信号は、その後、アンテナ３２に供給され、オーディオ信号レシーバへ伝送される。アンテナ３３は、変調された信号を受信し、この信号を検出器／復調器３４に供給する。検出器／復調器３４は、変調された信号を処理し、そこからオーディオ・コンポーネントを抽出する。
図５を参照すると、検出器／復調器ユニットのブロック図が示されている。アンテナ３３からの信号は、検出器／復調器ユニット３４の検出器ユニット３４１に供給される。この信号が検出器ユニット３４１で検出された後、その結果の信号は、復調器ユニット３４２に供給される。復調器ユニット３４２では、変調された信号から、オーディオ信号が抽出される。そのオーディオ信号は、その後、オーディオ信号レシーバの入力端子に供給される。検出器／復調器ユニットに電力を供給するため、マイクロフォン・ピックアップ電圧がそこに印加されるオーディオ・レシーバの端子は、チャージポンプ３４３へ供給される。チャージポンプは、検出器／復調器ユニット３４のコンポーネントに電力供給するレベルまで電圧レベルを増加させることができる。
【０００６】
２．好ましい実施例のオペレーション
本発明により、付加的な電力源なしに、オーディオ・コンポーネント間の無線信号の伝送が可能となる。オーディオ信号ソースの場合、電力は、オーディオ信号それ自体によって供給される。この信号は、通常の６０サイクル・パワーサプライ方式で整流および濾波される。この方式で得られた電圧ソースは、搬送波信号を生成する装置およびその搬送波をオーディオ信号で変調する装置に電力供給するために用いられる。
オーディオ受信装置の場合、検出器ユニットへのおよび復調器ユニットへの電力は、マイクロフォン・ピックアップ電圧によって供給される。この電圧レベルは、これらのコンポーネントには不十分である場合もあるが、チャージポンプが、この電圧レベルを増加させる技術を提供する。
コンポーネント間のオーディオ信号の無線伝送に電力供給するのにデバイス電力源を用いることにより、付加的な電力源なしに、無線機能が実装され得る。最近の信号処理技術によって、１つのデバイスから第２のデバイスへ無線信号を伝送するために必要とされる電力が著しく低減されてきていることは明らかであろう。さらに新たな技術が進歩していくにつれて、コンポーネントの電力消費の改良は改善され続けるであろう。
【０００７】
本発明は上述の実施例に関連して説明されたが、本発明は、必ずしもこれらの実施例に制限されるわけではない。従って、ここに記載されていない、実施例の他の変形および改良は、本発明の範囲、添付の特許請求の範囲によって定められる本発明の範囲から必ずしも排除されるわけではない。
【０００８】
以上の説明に関し、さらに以下の項目を開示する。
（１）  オーディオ無線信号生成ユニットであって、このユニットは、
オーディオ信号を生成するオーディオ信号ソースと、
オーディオ信号ソースに着脱可能に接続される信号生成ユニットとを含み、信号生成ユニットは、
オーディオ信号に応答し、オーディオ信号を用いて無線信号を変調させるための変調器コンポーネントと、
オーディオ信号に応答し、電圧を生成するためのパワーサプライとを含み、その電圧が変調器コンポーネントに電力供給する
オーディオ無線信号生成ユニット。
（２）  第１項に記載のユニットであって、パワーサプライが、整流コンポーネントとフィルタ・コンポーネントとを含むユニット。
（３）  第１項に記載のユニットであって、変調器コンポーネントが、搬送波周波数コンポーネントを含むユニット。
【０００９】
（４）  オーディオ信号受信ユニットであって、このユニットは、
マイクロフォン・ピックアップ電圧を生成するオーディオ信号受信コンポーネントと、
無線受信ユニットとを含み、無線受信ユニットが無線信号を検出および復調し、無線受信ユニットがオーディオ信号をオーディオ信号受信コンポーネントへ供給し、無線受信ユニットがマイクロフォン・ピックアップ電圧によって電力供給される、
オーディオ信号受信ユニット。
（５）  第４項に記載のオーディオ信号受信ユニットであって、無線受信ユニットがオーディオ信号受信ユニットに着脱可能に接続される、オーディオ信号受信ユニット。
（６）  第４項に記載のオーディオ信号受信ユニットであって、無線受信ユニットがチャージポンプを含み、チャージポンプがマイクロフォン・ピックアップ電圧レベルを増加させる、オーディオ信号受信ユニット。
【００１０】
（７）  オーディオ信号で変調される無線信号を生成するデバイスに電力供給する方法であって、この方法は、そのデバイスに電力を供給するためにオーディオ信号の一部を用いることを含む方法。
（８）  第７項に記載の方法であって、オーディオ信号の一部を用いる工程は、オーディオ信号のその部分を整流および濾波することを含む方法。
【００１１】
（９）  オーディオ・システムであって、このシステムは、
オーディオ信号を生成するオーディオ信号ソースと、
オーディオ信号を受信する無線伝送ユニットであって、無線伝送ユニットが、そのオーディオ信号で搬送波信号を変調し、ここで、無線伝送ユニットは、そのオーディオ信号によって電力供給される、無線伝送ユニットと、
搬送波信号からオーディオ信号を分離させるオーディオ信号レシーバ
とを含むオーディオ・システム。
（１０）  第９項に記載のシステムであって、搬送波信号からのオーディオ信号の分離は、無線レシーバ・ユニットで行われ、無線レシーバ・ユニットはオーディオ信号レシーバから着脱可能であり、無線レシーバ・ユニットは、マイクロフォン・ピックアップ電圧によって電力供給されるシステム。
（１１）  無線受信ユニットがオーディオ信号レシーバに着脱可能に接続されているオーディオ・レシーバ・ユニットにおいて、無線受信ユニットに電力供給する方法であって、この方法は、
オーディオ信号レシーバからのマイクロフォン・ピックアップ電圧で無線レシーバ・ユニットに電力供給することを含む方法。
【００１２】
（１２）  オーディオ信号ソース・ユニット（３１）からオーディオ受信ユニット（３４）へ無線オーディオ伝送を提供するためのコンポーネントは、外部電力源を必要とすることなく、オーディオ信号自体によって電力供給される。オーディオ信号は、無線信号を生成するコンポーネント（３１２，３１３）に電力を供給するため、整流器／フィルタ・ユニット（３１１）によって整流および復調される。受信した無線信号を検出および復調するコンポーネント（３４１，３４２）に電力を供給するため、マイクロフォン・ピックアップ電圧がチャージポンプ（３４３）に供給される。
【図面の簡単な説明】
【００１３】
【図１】先行技術に従ったオーディオ・システムの第１の実施例のブロック図。
【図２】先行技術に従ったオーディオ・システムの第２の実施例のブロック図。
【図３】先行技術に従ったオーディオ・システムの第３の実施例のブロック図。
【図４】本発明に従った信号生成ユニットのブロック図。
【図５】本発明に従った検出器／復調器ユニットのブロック図。
【符号の説明】
【００１４】
３１  オーディオ信号ソース・ユニット
３４  オーディオ受信ユニット
３１１  整流器／フィルタ・ユニット
３１２  搬送波ソース
３１３  変調器ユニット
３４１  検出器ユニット
３４２  復調器ユニット
３４３  チャージポンプ
【図１】
2005117664.tif 000003
【図２】
2005117664.tif 000004
【図３】
2005117664.tif 000005
【図４】
2005117664.tif 000006
【図５】
2005117664.tif 000007